(57)【要約】【課題】食器等の洗浄および乾燥を行う食器洗い機において、収納されるシステムキッチンの扉と同じ材質、大きさの化粧板が前面全てに施された状態で乾燥機能を満足するデザイン性の優れた食器洗い機を提供する。【解決手段】前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出する。【選択図】図１
2007236439.tif 000002
【特許請求の範囲】
【請求項１】
前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出する食器洗い機。
【請求項２】
排気口の排気方向を上方とした請求項１記載の食器洗い機。
【請求項３】
開口部の上辺に、排気を前方に変化させる整流板を設けた請求項１または２記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図４に示すように構成していた。以下、その構成について説明する。
【０００３】
図４に示すように、システムキッチンに収納された食器洗い機本体内１に設けた洗浄槽２は、上方に槽開口部３を設け、内部に食器類４を収容する食器かご５を配置している。食器かご５の下方には洗浄ノズル６を回転自在に設けており、洗浄槽２内に溜めた洗浄水をポンプ７によって循環させ、洗浄ノズル６より噴射して食器類４を洗浄する。
【０００４】
また、洗浄槽２前方に設けられた前面パネル８の上部には排気口９が設けられ、送風手段１０によって洗浄槽２内の空気を排気口９より機外へ排出して食器類４の乾燥をする。前面パネル８の下方にはシステムキッチンの扉と同じ材質からなる化粧板１１を取り付けることで、システムキッチンのデザイン性を向上させている。洗浄槽２の下方には第１のレール１２を固定しており、第１のレール１２は食器洗い機本体１に固定した第２のレール１３に前後方向へ移動可能に支持されている（例えば、特許文献１参照）。
【０００５】
食器類４の出し入れを行う際には、前面パネル８に一体的に形成されたハンドル１４をつかみ、洗浄槽２を前方に引き出し、槽開口部３より食器類４を収容する。次に洗浄槽２を食器洗い機本体１内に戻し、運転を開始すると、洗浄槽２の底部に配置されたヒータ１５によって洗浄水を加熱しながら、洗浄ノズル６から食器類４に向かって噴射し、食器類４の汚れを落とす洗浄行程を行う。その後、食器類４をすすいだ後、乾燥行程を行って運転を終了する。
【特許文献１】特開２００１−０４６３０１号公報
【発明の開示】
【発明が解決しようとする課題】
【０００６】
しかしながら、このような従来の構成では、送風手段１０が機外の空気を吸い込み、洗浄槽２内へ送風するとともに、洗浄槽２内の水分を多く含んだ空気を機外に排気しているが、収納されるシステムキッチン内に結露が発生しないよう、排気をシステムキッチン外に排出する必要があり、前面パネル８に排気を前方に排出する排気口９を設けている。そのため、前面パネル８の下方に設けた化粧板１１を取り付けることによって、システムキッチンのデザイン性を向上させることができるが、前面パネル８が外観となるので、前面パネル８の色や形状、大きさによっては、多様化するシステムキッチンのデザインに適応できないという課題を有していた。
【０００７】
本発明は、上記従来の課題を解決するもので、乾燥機能を満足しつつ、収納されるシステムキッチンの扉と同じ材質、大きさの化粧板が前面全てに施されたデザイン性の優れた食器洗い機を提供することを目的としている。
【課題を解決するための手段】
【０００８】
本発明は上記目的を達成するために、前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出するよう構成したものである。
【０００９】
これにより、乾燥機能を満足しつつ、収納されるシステムキッチンの扉と同じ材質、大きさの化粧板が前面全てに施されたデザイン性の優れた食器洗い機を提供できるものである。
【発明の効果】
【００１０】
本発明の請求項１に記載の発明によれば、前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出するよう構成したから、乾燥機能を満足しつつ、収納されるシステムキッチンの扉と同じ材質、大きさの化粧板が前面全てに施されたデザイン性の優れた食器洗い機を提供することができる。
【発明を実施するための最良の形態】
【００１１】
第１の発明は、前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出することにより、乾燥機能を満足しつつ、収納されるシステムキッチンの扉と同じ材質、大きさの化粧板が前面全てに施されたデザイン性の優れた食器洗い機を提供することができる。
【００１２】
第２の発明は、上記第１の発明において、排気口の排気方向を上方としたことにより、扉体の前面に装着される化粧板の大きさを、隣接するキャビネットに使用する扉とほぼ同じにした状態で、化粧板に排気が衝突して排気性能が低下するのを防ぎ、乾燥性能を維持することができる。
【００１３】
第３の発明は、上記第１または第２の発明において、開口部の上辺に、排気を前方に変化させる整流板を設けたことにより、上方への排出される排気を前方に変化させ、収納されるシステムキッチンの内部に排気が流出するのを防止することができる。
【００１４】
以下、本発明の実施の形態について、図面を参照しながら説明する。
【実施例】
【００１５】
（実施の形態１）
図１に示すように、システムキッチンに収納され、内部に洗浄槽２２を出し入れ自在に設けた食器洗い機本体１６は、前面に開口部１７を設け、その開口部１７は、洗浄槽２２を食器洗い機本体１６に収納したとき、扉体１８によって覆われている。扉体１８は、前面全てがシステムキッチンの引き出し収納等の扉と同じ材質、大きさの化粧板１９と、化粧板１９を固定するとともに上部に操作部２０を形成した操作パネル２１とを備え、操作部２０は、洗浄プログラムを選択するなどの運転操作を食器洗い機の上方から指示できるよう構成している。
【００１６】
また、食器洗い機本体１６の内部に設けた洗浄槽２２は、上方に槽開口部２３を設け、内部に食器類２４を収容する食器かご２５を配置している。食器かご２５の下方には洗浄水を噴射する洗浄ノズル２６を回転自在に設けるとともに、洗浄槽２２内に溜めた洗浄水を洗浄ノズル２６を介して循環するポンプ２７を設けている。また、洗浄槽２２内の底部には洗浄水と第１の送風手段２８によって送風される空気とを加熱するヒータ２９を配設している。
【００１７】
洗浄槽２２の前方部分の上方には第１の排気口３０が、扉体１８と洗浄槽２２との間に位置するように配設されており、第１の送風手段２８によって洗浄槽２２内の空気を排出するよう構成している。
【００１８】
洗浄槽２２の前方には、洗浄槽２２に設けた第１の排気口３０と連通させて排気経路３２を設けてある。この排気経路３２は、下方に屈曲部を配した前後方向にＵ字形状としてある。
【００１９】
排気経路３２の前方には、排気経路３２と前後方向で少なくとも一部が面接触するように送風経路３５を配設し、この送風経路３５は、一端である上端部に第２の排気口３１を有し、他端には第２の送風手段３４が接続されている。そして、その両端間の中間位置にて排気経路３２と連通させて、第２の排気口３１に至るまでに、洗浄槽２２内から第１の排気口３０と排気経路３２を経由して排出された空気と、外気とを混合するよう構成している。
【００２０】
第２の送風手段３４は、第１の送風手段２８とほぼ同じ能力を有し、外気を扉体１８の後方に配設した送風経路３５に連通させ、第２の排気口３１に送風するよう構成されている。この第２の送風手段３４は、排気経路３２のＵ字形状の屈曲部の下方空間に配設し、排気経路３２、送風経路３５および第２の送風手段３４とでコンパクトなユニットを構成している。
【００２１】
また、第２の排気口３１は、操作パネル２１の上端部で操作パネル２１の前面よりやや後方に位置させてあり、この第２の排気口３１は、第１の排気口３０と排気経路３２で連通させつつ排気方向を上方に向けて配設し、第１の排気口３０から排出された空気を扉体１８の上方から機外に排出するように構成している。
【００２２】
排気経路３２と送風経路３５とは、樹脂材料で一体成形あるいはあらかじめ組み上げたユニットとしてあり、洗浄槽２２の前面に取り付けてある。
【００２３】
また、第２の排気口３１の上方の食器洗い機本体１６の開口部１７の上辺には、整流板３３が配設してあり、この整流板３３は、排気の方向を上方から前方に変化させて、排気がシステムキッチン内方へ排出されるのを防ぐよう、略Ｌ字状の断面とし、その前端がシステムキッチンのカウンタートップ前端部とほぼ同じ位置になるように、寸法形状と取り付け位置を設定している。
【００２４】
また、第２の排気口３１にはダンパー３６が設けられており、このダンパー３６は、洗浄槽２２を食器洗い機本体１６に収納した状態では、第２の排気口３１を開放し、洗浄槽２２を引き出した状態では密閉するよう構成している。
【００２５】
また、洗浄槽２２の下部の外壁外側には洗浄水の温度を検知する温度検知手段３７を設け、洗浄、すすぎ、乾燥の各行程を逐次制御する制御手段３８は、この温度検知手段３７の信号によって第１の送風手段２８および第２の送風手段３４の運転時間を制御するよう構成している。洗浄行程あるいはすすぎ行程では、洗浄槽２２が一定の温度（例えば５０℃）を検知すると第２の送風手段３４を運転し、乾燥行程に入ると、第２の送風手段３４を運転するとともに、第１の送風手段２８を数分間間欠運転させた後連続運転させ、さらにその後、一定時間経過後に、第２の送風手段３４の運転を停止するようにしている。
【００２６】
また、洗浄槽２２の下方には左右一対の第１のレール３９を固定しており、この第１のレール３９は食器洗い機本体１６に固定した左右一対の第２のレール４０に前後方向へ移動可能に支持されている。食器類２４の出し入れを行う際には、化粧板１９に取り付けられたハンドル４１をつかみ、洗浄槽２２を前方に引き出し、上方の槽開口部２３より食器類２４の出し入れを行うよう構成している。
【００２７】
上記の構成においてその動作、作用を説明すると、化粧板１９に設けたハンドル４１をつかみ洗浄槽２２を食器洗い機本体１６から引き出して、操作パネル２０を上方から操作して希望する洗浄プログラムを選択し、食器かご２５に汚れた食器類２４をセットする。次に、洗浄槽２２を食器洗い機本体１６内に戻し、運転を開始すると、洗浄槽２２内の底部に配置されたヒータ２９によって洗浄水を加熱しながら、洗浄ノズル２６から食器類２４に向かって噴射し、食器類２４の汚れを落とす洗浄行程を行う。その後、数回の溜めすすぎを行った後、ヒータ２９によって洗浄水を約８０℃に加熱しながらすすぐ、加熱すすぎ行程を行った後、洗浄水を排水し、ヒータ２９によって空気を加熱しながら、第１の送風手段２８によって水分を多く含んだ加熱空気を第１の排気口３０より排出しつつ、食器類２４および洗浄槽２２内部を乾燥させる乾燥行程を行って運転を終了する。
【００２８】
乾燥行程では、ヒータ２９によって洗浄槽２２内の空気を加熱しながら、第１の送風手段２８によって、水分を多く含む高温の加熱空気が第１の排気口３０から排出され、その第１の排気口３０から排出された空気は、第２の排気口３１までの経路で、第２の送風手段３４により送られてきた外気と合流し、温度、湿度が低減され、扉体１８の上方のシステムキッチンのカウンタートップ下方の、扉体１８の上端面とカウンタートップ下面との隙間から機外へ排出される。この排気は、従来の排気口の面積と同じ開口を有した第１の排気口３０から排出されるため、排気性能を維持し、乾燥性能を満足しつつ、第２の排気口３１から排出されるときは、外気を混合し、温度、湿度が低減されているため、システムキッチンに収納した状態でもシステムキッチンに結露等の発生を防止することができる。
【００２９】
また、化粧板１９は扉体１８の前面を覆いシステムキッチンの扉と同じ材質、大きさであるため、デザインが損なわれることはない。
【００３０】
また、第２の排気口３１の排気方向を上方としたことにより、扉体１８の前面に装着される化粧板１９の大きさを、隣接するキャビネットに使用する扉とほぼ同じにした状態で、化粧板１９に排気が衝突して排気性能が低下するのを防ぎ、乾燥性能を維持することができる。
【００３１】
また、食器洗い機本体１６の開口部１７の上辺に設けた整流板３３によって第２の排気口３１から上方へ排出される排気を排気性能を低下させることなく前方に変化させ、収納されるシステムキッチンの内部に排気が流出するのを防止することができる。
【００３２】
このように本実施の形態の食器洗い機によれば、前方に開口部を設けた食器洗い機本体内に引き出し自在に設けた洗浄槽と、前記洗浄槽の前面に設けられ前記開口部を覆う扉体と、前記洗浄槽内の空気を排出する排気口とを備え、前記排気口からの排気を前記扉体の上方から排出する構成としたことにより、乾燥機能を満足しつつ、収納されるシステムキッチンの扉と同じ材質、大きさの化粧板が前面全てに施されたデザイン性の優れた食器洗い機を提供することができる。
【００３３】
また、排気口の排気方向を上方としたことにより、扉体の前面に装着される化粧板の大きさを、隣接するキャビネットとに使用する扉とほぼ同じにした状態で、化粧板に排気が衝突して排気性能が低下するのを防ぎ、乾燥性能を維持することができる。
【００３４】
また、開口部の上辺に、排気を前方に変化させる整流板を設けたことにより、上方への排出される排気を前方に変化させ、収納されるシステムキッチンの内部に排気が流出するのを防止することができる。
【００３５】
なお、本実施の形態では、排気経路３２と送風経路３５を一体とし、それらは洗浄槽２２とは別体としたが、別体、一体に関しては、機能上同等の働きを有するものであればよく、本実施の形態によって本発明が限定されるものではない。
【産業上の利用可能性】
【００３６】
以上のように、本発明にかかる食器洗い機は、システムキッチンの扉と同じ材質、大きさの化粧板を前面全てに施すことが可能となるので、システムキッチンに組み込む食器洗い機等として有用である。
【図面の簡単な説明】
【００３７】
【図１】本発明の実施の形態１の食器洗い機の側断面図
【図２】同食器洗い機の正面図
【図３】同食器洗い機の要部側断面図
【図４】従来の食器洗い機の側断面図
【符号の説明】
【００３８】
１６  食器洗い機本体
１７  開口部
１８  扉体
２２  洗浄槽
３０  第１の排気口
３１  第２の排気口（排気口）
【図１】
2007236439.tif 000003
【図２】
2007236439.tif 000004
【図３】
2007236439.tif 000005
【図４】
2007236439.tif 000006